(57)【要約】【課題】  補強力が向上し、しかも補強部分が明確でわかりやすい補強編み部分を備えた補強編み手袋を提供する。【解決手段】  補強編み手袋５０の補強編み５９は、編糸の編成によって人差指袋５４又は親指袋５６の一方の面５４ａ又は５６ａを形成する一方の複数の編針１１の内、端部からコース方向に少なくとも１編針飛ばした編針１１によって、人差指袋５４又は親指袋５６の他方の面５４ｂ又は５６ｂを編成する編糸を、人差指袋５４又は親指袋５６の一方の面５４ａ又は５６ａを編成する編糸に重ねて二重編み目を形成し、当該二重編み目をウエール方向に連続して形成して構成されている。【選択図】        図２
2015071837.tif 000002
【特許請求の範囲】
【請求項１】
編成により形成される編み袋であって、一方の面と他方の面が重ね合わされ一部を除く周縁が連接され、周縁に沿った内側の一部又は全部に補強編みが施された補強編み袋であって、
前記補強編みは、編糸の編成によって一方の面を形成する一方の複数の編針の内、端部からコース方向に少なくとも１編針飛ばした編針によって、他方の面を編成する編糸を一方の面を編成する編糸に重ねて二重編み目を形成し、当該二重編み目をウエール方向に連続して形成して構成されていることを特徴とする補強編み袋。
【請求項２】
編成により形成される編み手袋であって、５本の指袋と手の平袋を備え、一方の面と他方の面が重ね合わされ手挿入口を除く周縁が連接され、人差指袋又は親指袋の内側縁に沿った内側の一部又は全部に補強編みが施された補強編み手袋であって、
前記補強編みは、編糸の編成によって人差指袋又は親指袋の一方の面を形成する一方の複数の編針の内、端部からコース方向に少なくとも１編針飛ばした編針によって、人差指袋又は親指袋の他方の面を編成する編糸を、人差指袋又は親指袋の一方の面を編成する編糸に重ねて二重編み目を形成し、当該二重編み目をウエール方向に連続して形成して構成されていることを特徴とする補強編み手袋。
【請求項３】
対向して配置された一対の針床と、
針床に摺動可能に設けられた編針と、
編針を接続すると共に上部にバットが形成されたニードルジャックと、
ニードルジャックに連結され、下部に摺動突部が形成されたコントロールジャックと、
コントロールジャックの摺動突部に接触し、ニードルジャックのバットを押し上げる選針ピンを備えた選針ドラムと、
一対の針床上を往復動し、選針ドラムの選針ピンによって押し上げられたニードルジャックのバットを案内して編針を上下動させる編成カムを備えたキャリッジと、
キャリッジの編成カムの一部を構成する鉄砲山カムと、
鉄砲山カムを前記バットを案内する作用位置と前記バットを案内しない不作用位置に移動させる鉄砲山駆動カムとを備え、
一対のキャリッジの一方向の動作により、一方のキャリッジで一方の面を編成し、一対のキャリッジの他方向の動作により、他方のキャリッジで他方の面を編成して編み袋を形成する袋編機において、
一方の針床側の複数の編針の内の少なくとも一つを、他のニードルジャックよりバットを高く形成した特殊ニードルジャックに接続し、
前記鉄砲山カムの不作用位置においても特殊ニードルジャックのバットが案内されるように構成し、
鉄砲山駆動カムにより鉄砲山カムを不作用位置に移動させた一方のキャリッジにより、一方の面を形成する一方の複数の編針の内、前記特殊ニードルジャックに接続された編針を上下動させ、他方の面を編成する編糸を一方の面を編成する編糸に重ねて二重編み目を形成し、当該二重編み目をウエール方向に連続して形成して補強編みを行うことを特徴とする袋編機。
【請求項４】
対向して配置された一対の針床と、
針床に摺動可能に設けられた編針と、
編針を接続すると共に上部にバットが形成されたニードルジャックと、
ニードルジャックに連結され、下部に摺動突部が形成されたコントロールジャックと、
コントロールジャックの摺動突部に接触し、ニードルジャックのバットを押し上げる選針ピンを備えた選針ドラムと、
一対の針床上を往復動し、選針ドラムの選針ピンによって押し上げられたニードルジャックのバットを案内して編針を上下動させる編成カムを備えたキャリッジと、
キャリッジの編成カムの一部を構成する鉄砲山カムと、
鉄砲山カムを前記バットを案内する作用位置と前記バットを案内しない不作用位置に移動させる鉄砲山駆動カムとを備え、
一対のキャリッジの一方向の動作により、一方のキャリッジで一方の面を編成し、一対のキャリッジの他方向の動作により、他方のキャリッジで他方の面を編成して編み袋を形成する袋編機において、
一方の針床側の複数の編針の内の少なくとも一つを、他のニードルジャックよりバットを高く形成した特殊ニードルジャックに接続し、
前記鉄砲山カムをニードルジャックのバットと特殊ニードルジャックのバットを案内する作用位置と、ニードルジャックのバットを案内せずに特殊ニードルジャックのバットを案内する中間作用位置と、ニードルジャックのバットと特殊ニードルジャックのバットを案内しない不作用位置とに移動させる鉄砲山駆動カムを形成し、
鉄砲山駆動カムにより鉄砲山カムを中間作用位置に移動させた一方のキャリッジにより、一方の面を形成する一方の複数の編針の内、前記特殊ニードルジャックに接続された編針を上下動させ、他方の面を編成する編糸を一方の面を編成する編糸に重ねて二重編み目を形成し、当該二重編み目をウエール方向に連続して形成して補強編みを行うことを特徴とする袋編機。
【請求項５】
対向して配置された一対の針床と、
針床に摺動可能に設けられた編針と、
編針を接続すると共に上部にバットが形成されたニードルジャックと、
ニードルジャックに連結され、下部に摺動突部が形成されたコントロールジャックと、
コントロールジャックの摺動突部に接触し、ニードルジャックのバットを押し上げる選針ピンを備えた選針ドラムと、
一対の針床上を往復動し、選針ドラムの選針ピンによって押し上げられたニードルジャックのバットを案内して編針を上下動させる編成カムを備えたキャリッジと、
キャリッジの編成カムの一部を構成する鉄砲山カムと、
鉄砲山カムを前記バットを案内する作用位置と前記バットを案内しない不作用位置に移動させる鉄砲山駆動カムとを備え、
一対のキャリッジの一方向の動作により、一方のキャリッジの編成カムが選針ピンによって押し上げられたニードルジャックのバットを案内して編針を往復動させて一方の面を編成し、一対のキャリッジの他方向の動作により、他方のキャリッジの編成カムが選針ピンによって押し上げられたニードルジャックのバットを案内して編針を往復動させて他方の面を編成して編み袋を形成する袋編機において、
一方の針床側の複数の編針の内の少なくとも一つを、他のニードルジャックよりバットを高く形成した特殊ニードルジャックに接続し、
前記鉄砲山カムをニードルジャックのバットと特殊ニードルジャックのバットを案内する作用位置と、ニードルジャックのバットを案内せずに特殊ニードルジャックのバットを案内する中間作用位置と、ニードルジャックのバットと特殊ニードルジャックのバットを案内しない不作用位置とに移動させる鉄砲山駆動カムを形成し、
選針ピンによって押し上げられた複数のニードルジャックの内、端から少なくとも２番目のニードルジャックを特殊ニードルジャックとし、
鉄砲山駆動カムにより鉄砲山カムを中間作用位置に移動させた一方のキャリッジにより、一方の面を形成する一方の複数の編針の内、前記特殊ニードルジャックに接続された編針を上下動させ、他方の面を編成する編糸を一方の面を編成する編糸に重ねてコース方向の少なくとも２編み目に二重編み目を形成し、当該二重編み目をウエール方向に連続して形成して、編み袋の周縁に補強編みを行うことを特徴とする袋編機。
【請求項６】
選針ピンに、特殊ニードルジャックのバットの高さとニードルジャックのバットの高さを略同じにする欠損部を設けたことを特徴とする請求項３、４又は５記載の袋編機。
【発明の詳細な説明】
【技術分野】
【０００１】
本発明は、周縁の一部に補強編みが施された補強編み袋及び補強編み手袋と、袋に補強編みを行う袋編機に関し、更に詳しくは、補強編みが施された手袋、及び手袋に補強編みを行う手袋編機に関する。
【背景技術】
【０００２】
編み袋、例えば作業用手袋は、横編機などの袋編機を用いて編成される。図１に示すように、袋編機１は、機体２の前後にＶ字状に配置された前針床３と後針床５を有する。図１１に示すように、前針床３と後針床５には、多数の編針１１が摺動自在に取り付けられている。編針１１は、ニードルジャック１２に接続されている。ニードルジャック１２は、キャリッジ３１，３２の編成カム３３，３４に案内されるバット１３を備えている。ニードルジャック１２は、コントロールジャック１５に連係されている。コントロールジャック１５は、摺動突部１６と、摺動突部１６を選針ドラム２１，２２に接触する方向に付勢するバネ部材１７を備えている。また、機体２には、図２に示すように、前選針ドラム２１と後選針ドラム２２が回動可能に設けられている。選針ドラム２１，２２には、選針ピン２３が選針ドラム２１，２２の軸方向に取り付けられている（図６，７参照）。図１１に示すように、選針ピン２３は、前記コントロールジャック１５の摺動突部１６と接触し、ニードルジャック１２のバット１３を上方に押し上げる（例えば、特許文献１）。
【０００３】
前針床３上には、前キャリッジ３１が往復動するように設けられ、後針床５上には、後キャリッジ３２が往復動するように設けられている。前キャリッジ３１と後キャリッジ３２は、ブリッジで一体化され同時に動作する。図３に示すように、キャリッジ３１，３２には、前記ニードルジャック１２のバット１３を案内する編成カム３３，３４が形成されている。キャリッジ３１，３２が移動すると、編成カム３３，３４がニードルジャック１２のバット１３を案内し、ニードルジャック１２に接続された編針１１が上下動する。編成カム３３，３４の一部は、鉄砲山カム３５が構成している。鉄砲山カム３５は、機体２に揺動可能に設けられたアーム３６に、ワイヤ等の連係手段により連係されている。図２に示すように、アーム３６の先端部は、機体２に回動可能に設けられた鉄砲山駆動カム３８に摺接している。図４に示すように、鉄砲山駆動カム３８には長径の第１の接触部３９と短径の第２の接触部４０が形成されている。アーム３６の先端部が鉄砲山駆動カム３８の第２の接触部４０に接触している場合には、連係手段により鉄砲山カム３５が突出し、編成カム３３，３４がニードルジャック１２のバット１３を案内して編針１１を上下動させる。アーム３６の先端部が鉄砲山駆動カム３８の第１の接触部３９に接触している場合には、連係手段により鉄砲山カム３５が没入し、編成カム３３，３４がニードルジャック１２のバット１３を案内しなくなり、編針１１を上下動させなくなる（例えば、特許文献２）。
【０００４】
袋編機１は、編糸を給糸する給糸部を備えている。前キャリッジ３１と後キャリッジ３２を往復動させると編み袋が編成される。前及び後キャリッジ３１，３２が一方（右方）に動作する時、前キャリッジ３１は、編成カム３３の機構上、前針床３の編針１１を上下動させない。後キャリッジ３２の場合は、後針床５の編針１１を上下動させる。従って、前及び後キャリッジ３１，３２が一方（右方）に動作すると、編み袋の後面が編成され、前面は編成されない。
【０００５】
前及び後キャリッジ３１，３２が他方（左方）に動作する時、後キャリッジ３２は、編成カム３４の機構上、後針床５の編針１１を上下動させない。前キャリッジ３１の場合は、前針床３の編針１１を上下動させる。従って、前及び後キャリッジ３１，３２を他方（左方）に動作すると、編み袋の前面が編成され、後面は編成されない。このように、袋編機１は、前及び後キャリッジ３１，３２を連続して両側方向（左右方向）に往復動作すると、編み袋が編成される。
【０００６】
また編み袋のサイズ及び作成位置は、上下動させる編針１１の数及び位置によって変更することができる。上下動させる編針１１の数及び位置は、選針ドラム２１，２２に着脱可能に取り付けられる選針ピン２３によって設定することができる。図１１に示すように、選針ドラム２１，２２を回転させて、選針ピン２３をコントロールジャック１５の摺動突部１６に接触させると、ニードルジャック１２が押し上げられ、ニードルジャック１２のバット１３がキャリッジ３１，３２の編成カム３３，３４に係合し、編針１１が上下動する。図１２に示すように、選針ピン２３がコントロールジャック１５の摺動突部１６に接触しない場合には、ニードルジャック１２が押し上げられないから、ニードルジャック１２のバット１３がキャリッジ３１，３２の編成カム３３，３４に案内されることがなく、編針１１は動作しない。選針ピン２３が長ければ、幅の広い編み袋を編成でき、選針ピン２３が短ければ、幅の狭い編み袋を編成できる。また、選針ピン２３の位置を選針ドラム２１，２２の左方に設ければ、左方に編み袋が編成でき、選針ピン２３の位置を選針ドラム２１，２２の中央に設ければ、中央に編み袋が編成でき、選針ピン２３の位置を選針ドラム２１，２２の右方に設ければ、右方に編み袋が編成できる。これを利用して、袋編機１により作業用手袋を編成することができる。
【０００７】
作業用手袋５０は、図２３に示すように、袋編機１により、小指５１、薬指５２、中指５３、人差指５４、親指５６の指袋、４本胴５５および５本胴５７の編成部が手の甲（他方の面）５０ｂ側または手の平５０ａ（一方の面）側において同一平面になるように編成されている。具体的には、作業用手袋５０は、まず小指５１の指袋から編み始め、薬指５２、中指５３、人差指５４の順に各指袋が編まれた後、小指５１から人差指５４までを一つの筒状体として四本胴５５を編成する。そして、四本胴５５の編成の後、親指５６の編成が行われ、親指５６と先に編まれた四本胴５５を一つにして五本胴５７が編成され、手首部の編成が行われて終了する。従来の作業用手袋５０の編成は、平編みと呼ばれる平面状の編み地の方法により編成されてきた（例えば、特許文献３、４）。
【０００８】
従来の作業用手袋は、接触が多く負荷のかかりやすい部分が破れやすいため、この破れやすい部分に別素材を取り付けて補強を行うことがあった。しかし、係る場合、袋編機での編成作業の他に、別素材を取り付ける作業が必要であるため、制作作業が面倒であり、さらにコストがかかるという問題点があった。この別途補強部を後から設ける手間を省きコストを低く抑えるため、補強部の作成を袋編機で手袋の編成工程で同時に行う製造装置と、その製造装置に製造された補強編み手袋が提案されている（特許文献５）。
【先行技術文献】
【特許文献】
【０００９】
【特許文献１】特開２００５−２９９４２号公報
【特許文献２】特開２００８−７９１６号公報
【特許文献３】特開２０１０−１３３０７０号公報
【特許文献４】国際公開ＷＯ２００２／５２９６６号公報
【特許文献５】特開２００８−７９００号公報
【発明の概要】
【発明が解決しようとする課題】
【００１０】
従来の補強編み手袋は、前面を編成する端の編針によって、後面の端の編糸を引き寄せた重ね編みを、ウエール方向に通常編みと交互に行い、端部を増糸して補強する構成である。この補強編み手袋の端部は、他の部位と比べて厚みを増している。しかし、この補強編みでは、補強力が不足しているという問題点があった。また、この補強編み手袋を編成する袋編機の具体的構成が不明確であり、どのようにして補強編みを行わせるのか不明であるという問題点があった。
【００１１】
本願発明は、上記問題点に鑑み案出したものであって、補強力が向上し、しかも補強部分が明確でわかりやすい補強編み部分を備えた補強編み袋を提供することを第１の目的とする。さらに、前記補強編み部分を備えた補強編み手袋を提供することを第２の目的とする。また、前記補強編みを所望する箇所に所望する範囲で行うことができる袋編機を提供することを第３の目的とする。
【課題を解決するための手段】
【００１２】
本願請求項１記載の補強編み袋は、上記第１の目的を達成するため、編成により形成される編み袋であって、一方の面と他方の面が重ね合わされ一部を除く周縁が連接され、周縁に沿った内側の一部又は全部に補強編みが施された補強編み袋であって、前記補強編みは、編糸の編成によって一方の面を形成する一方の複数の編針の内、端部からコース方向に少なくとも１編針飛ばした編針によって、他方の面を編成する編糸を一方の面を編成する編糸に重ねて二重編み目を形成し、当該二重編み目をウエール方向に連続して形成して構成されていることを特徴とする。
【００１３】
本願請求項２記載の補強編み手袋は、上記第２の目的を達成するため、編成により形成される編み手袋であって、５本の指袋と手の平袋を備え、一方の面と他方の面が重ね合わされ手挿入口を除く周縁が連接され、人差指袋又は親指袋の内側縁に沿った内側の一部又は全部に補強編みが施された補強編み手袋であって、前記補強編みは、編糸の編成によって人差指袋又は親指袋の一方の面を形成する一方の複数の編針の内、端部からコース方向に少なくとも１編針飛ばした編針によって、人差指袋又は親指袋の他方の面を編成する編糸を、人差指袋又は親指袋の一方の面を編成する編糸に重ねて二重編み目を形成し、当該二重編み目をウエール方向に連続して形成して構成されていることを特徴とする。
【００１４】
本願請求項３記載の袋編機は、上記第３の目的を達成するため、対向して配置された一対の針床と、針床に摺動可能に設けられた編針と、編針を接続すると共に上部にバットが形成されたニードルジャックと、ニードルジャックに連結され、下部に摺動突部が形成されたコントロールジャックと、コントロールジャックの摺動突部に接触し、ニードルジャックのバットを押し上げる選針ピンを備えた選針ドラムと、一対の針床上を往復動し、選針ドラムの選針ピンによって押し上げられたニードルジャックのバットを案内して編針を上下動させる編成カムを備えたキャリッジと、キャリッジの編成カムの一部を構成する鉄砲山カムと、鉄砲山カムを前記バットを案内する作用位置と前記バットを案内しない不作用位置に移動させる鉄砲山駆動カムとを備え、一対のキャリッジの一方向の動作により、一方のキャリッジで一方の面を編成し、一対のキャリッジの他方向の動作により、他方のキャリッジで他方の面を編成して編み袋を形成する袋編機において、前針床側の複数の編針の内の少なくとも一つを、通常ニードルジャックよりバットを高く形成した特殊ニードルジャックに接続し、前記鉄砲山カムの不作用位置においても特殊ニードルジャックのバットが案内されるように構成し、鉄砲山駆動カムにより鉄砲山カムを不作用位置に移動させた前キャリッジにより、前針床側の複数の編針の内、前記特殊ニードルジャックに接続された編針を上下動させ、後針床側を編成する編糸を前針床側の編針に重ねて二重編み目を形成し、当該二重編み目をウエール方向に連続して形成して補強編みを行うことを特徴とする。
【００１５】
本願請求項４記載の袋編機は、上記第３の目的を達成するため、対向して配置された一対の針床と、針床に摺動可能に設けられた編針と、編針を接続すると共に上部にバットが形成されたニードルジャックと、ニードルジャックに連結され、下部に摺動突部が形成されたコントロールジャックと、コントロールジャックの摺動突部に接触し、ニードルジャックのバットを押し上げる選針ピンを備えた選針ドラムと、一対の針床上を往復動し、選針ドラムの選針ピンによって押し上げられたニードルジャックのバットを案内して編針を上下動させる編成カムを備えたキャリッジと、キャリッジの編成カムの一部を構成する鉄砲山カムと、鉄砲山カムを前記バットを案内する作用位置と前記バットを案内しない不作用位置に移動させる鉄砲山駆動カムとを備え、一対のキャリッジの一方向の動作により、一方のキャリッジで一方の面を編成し、一対のキャリッジの他方向の動作により、他方のキャリッジで他方の面を編成して編み袋を形成する袋編機において、前針床側の複数の編針の内の少なくとも一つを、通常ニードルジャックよりバットを高く形成した特殊ニードルジャックに接続し、前記鉄砲山カムを通常ニードルジャックのバットと特殊ニードルジャックのバットを案内する作用位置と、通常ニードルジャックのバットを案内せずに特殊ニードルジャックのバットを案内する中間作用位置と、通常ニードルジャックのバットと特殊ニードルジャックのバットを案内しない不作用位置とに移動させる鉄砲山駆動カムを形成し、鉄砲山駆動カムにより鉄砲山カムを中間作用位置に移動させた前キャリッジにより、前針床側を形成する複数の編針の内、前記特殊ニードルジャックに接続された編針を上下動させ、後針床側を編成する編糸を前針床側の編針に重ねて二重編み目を形成し、当該二重編み目をウエール方向に連続して形成して補強編みを行うことを特徴とする。
【００１６】
本願請求項５記載の袋編機は、上記第３の目的を達成するため、対向して配置された一対の針床と、針床に摺動可能に設けられた編針と、編針を接続すると共に上部にバットが形成されたニードルジャックと、ニードルジャックに連結され、下部に摺動突部が形成されたコントロールジャックと、コントロールジャックの摺動突部に接触し、ニードルジャックのバットを押し上げる選針ピンを備えた選針ドラムと、一対の針床上を往復動し、選針ドラムの選針ピンによって押し上げられたニードルジャックのバットを案内して編針を上下動させる編成カムを備えたキャリッジと、キャリッジの編成カムの一部を構成する鉄砲山カムと、鉄砲山カムを前記バットを案内する作用位置と前記バットを案内しない不作用位置に移動させる鉄砲山駆動カムとを備え、一対のキャリッジの一方向の動作により、一方のキャリッジの編成カムが選針ピンによって押し上げられたニードルジャックのバットを案内して編針を往復動させて一方の面を編成し、一対のキャリッジの他方向の動作により、他方のキャリッジの編成カムが選針ピンによって押し上げられたニードルジャックのバットを案内して編針を往復動させて他方の面を編成して編み袋を形成する袋編機において、前針床側の複数の編針の内の少なくとも一つを、通常ニードルジャックよりバットを高く形成した特殊ニードルジャックに接続し、前記鉄砲山カムを通常ニードルジャックのバットと特殊ニードルジャックのバットを案内する作用位置と、通常ニードルジャックのバットを案内せずに特殊ニードルジャックのバットを案内する中間作用位置と、通常ニードルジャックのバットと特殊ニードルジャックのバットを案内しない不作用位置とに移動させる鉄砲山駆動カムを形成し、選針ピンによって押し上げられた複数のニードルジャックの内、端から少なくとも２番目のニードルジャックを特殊ニードルジャックとし、鉄砲山駆動カムにより鉄砲山カムを中間作用位置に移動させた前キャリッジにより、前針床側を形成する複数の編針の内、前記特殊ニードルジャックに接続された編針を上下動させ、後針床側を編成する編糸を前針床側の編針に重ねてコース方向の少なくとも２編み目に二重編み目を形成し、当該二重編み目をウエール方向に連続して形成して、編み袋の周縁に補強編みを行うことを特徴とする。
【００１７】
本願請求項６記載の袋編機は、上記第３の目的を達成するため、選針ピンに、特殊ニードルジャックのバットの高さと通常ニードルジャックのバットの高さを略同じにする欠損部を設けたことを特徴とする。
【発明の効果】
【００１８】
本願発明に係る補強編み袋は、編糸の編成によって前針床側を形成する複数の編針の内、端部からコース方向に少なくとも１編針飛ばした編針によって、後針床側を編成する編糸を前針床側の編針に重ねて二重編み目を形成し、当該二重編み目をウエール方向に連続して形成して補強編みを構成している。この二重編み目部分が袋の周縁の端部に沿って略平行に形成され、前針床側に溝条を形成し、この溝条により端部を前針床側に折り返すことが可能となり、この折り返し可能な端部が袋の補強を行うことができる。このように、本願発明に係る補強編み袋は、折り返し可能な端部によって補強が行われ、補強力が向上し、しかも補強部分が溝条により明確でわかりやすいという効果がある。
【００１９】
本願発明に係る補強編み手袋は、編糸の編成によって人差指袋又は親指袋の前針床側を形成する複数の編針の内、端部からコース方向に少なくとも１編針飛ばした編針によって、人差指袋又は親指袋の後針床側を編成する編糸を、人差指袋又は親指袋の前針床側の編針に重ねて二重編み目を形成し、当該二重編み目をウエール方向に連続して形成して補強編みを構成している。この二重編み目部分が手袋の人差指袋又は親指袋の端部の周縁に沿って略平行に形成され、前針床側に溝条を形成し、この溝条により端部を前針床側に折り返すことが可能となり、この折り返し可能な端部が手袋の人差指袋又は親指袋の補強を行うことができる。このように、本願発明に係る補強編み手袋は、折り返し可能な端部によって人差指袋又は親指袋の補強が行われ、補強力が向上し、しかも補強部分が溝条により明確でわかりやすいという効果がある。
【００２０】
本願発明に係る袋編機は、前針床側の複数の編針の内の少なくとも一つを、通常ニードルジャックよりバットを高く形成した特殊ニードルジャックに接続し、さらに、鉄砲山カムを通常ニードルジャックのバットと特殊ニードルジャックのバットを案内する作用位置と、通常ニードルジャックのバットを案内せずに特殊ニードルジャックのバットを案内する中間作用位置と、通常ニードルジャックのバットと特殊ニードルジャックのバットを案内しない不作用位置とに移動させる鉄砲山駆動カムを形成し、選針ピンによって押し上げられた複数のニードルジャックの内、端から少なくとも２番目のニードルジャックを特殊ニードルジャックとし、鉄砲山駆動カムにより鉄砲山カムを中間作用位置に移動させた前キャリッジにより、前針床側を形成する一方の複数の編針の内、前記特殊ニードルジャックに接続された編針を上下動させ、後針床側を編成する編糸を前針床側の編針に重ねてコース方向の端から少なくとも２つ目の編み目に二重編み目を形成し、当該二重編み目をウエール方向に連続して形成して、編み袋の周縁に補強編みを行う。本願発明に係る袋編機は、上記構成を有し、前記した補強編み袋又は補強編み手袋を編成することができるという効果がある。しかも、前記特殊ピンの位置を変えることにより、袋又は手袋の所望する箇所に所望する範囲で補強編みを行うことができるという効果がある。
【図面の簡単な説明】
【００２１】
【図１】本願発明に係る袋編機を示す全体斜視図である。
【図２】図１の袋編機を示す全体正面図である。
【図３】図１の袋編機のキャリッジを示す正面図である。
【図４】本願発明に係る袋編機の鉄砲山駆動カムを説明する正面図である。
【図５】本願発明に係る袋編機の特殊ニードルジャックを説明する説明図である。
【図６】図１の袋編機の選針ドラムの斜視図である。
【図７】本願発明に係る袋編機の選針ピンを説明する斜視図である。
【図８】図６の選針ドラムへの選針ピンの配置を示す説明図である。
【図９】図１の袋編機の針床へのニードルジャックの配置図である。
【図１０】図１の袋編機の針床へのニードルジャックの配置図である。
【図１１】通常ニードルジャックと選針ピンの関係を示す側面図である
【図１２】通常ニードルジャックと無選針ピンの関係を示す側面図である
【図１３】特殊ニードルジャックと選針ピンの関係を示す側面図である
【図１４】特殊ニードルジャックと選針ピンの凹部の関係を示す側面図である
【図１５】通常ニードルジャックと選針ピンの関係を示す側面図である
【図１６】通常ニードルジャックと選針ピンの関係を示す側面図である
【図１７】特殊ニードルジャックと選針ピンの関係を示す側面図である
【図１８】特殊ニードルジャックと無選針ピンの関係を示す側面図である
【図１９】特殊ニードルジャックと選針ピンの関係を示す側面図である
【図２０】特殊ニードルジャックと選針ピンの凹部の関係を示す側面図である
【図２１】特殊ニードルジャックと選針ピンの凹部の関係を示す側面図である
【図２２】本願発明に係る補強縫い袋の説明図である。
【図２３】本願発明に係る補強縫い手袋の説明図である。
【図２４】本願発明に係る補強縫い手袋の説明図である。
【発明を実施するための形態】
【００２２】
図２２に示すように、補強編み袋４２は、袋編機１の編成により形成される編み袋である。補強編み袋４２は、後針床側４３と前針床側４４が重ね合わされ一部４６を除く周縁が連接され、周縁に沿った内側の一部又は全部に補強編み４５が施されている。前記補強編み４５は、編糸の編成によって前針床側４４を形成する前針床側の複数の編針の内、端部４７からコース方向に少なくとも１編針飛ばした編針によって、後針床側４３を編成する編糸を前針床側４４を編成する編針に重ねて二重編み目を形成し、当該二重編み目をウエール方向に連続して形成して構成されている。
【００２３】
補強編み袋４２は、補強編み４５の二重編み目部分が袋の周縁の端部４７に沿って略平行に形成され、後針床側４３に溝条４５ａを形成し、この溝条４５ａにより端部４７を後針床側４３に折り返すことが可能となり、この折り返し可能な端部４７が袋の補強を行うことができる。このように、補強編み袋４２は、折り返し可能な端部４７によって補強が行われ、補強力が向上し、しかも補強部分が溝条４５ａにより明確でわかりやすい。また、補強編み袋４２は、端部４７と補強編み部４５間がパイプ状になっており、このパイプ状の空間４８に合成樹脂等の芯材４９を挿入して、さらに補強力を向上することができる。
【００２４】
図２３に示すように、補強編み手袋５０は、袋編機１の編成により形成される編み手袋である。補強編み手袋５０は、５本の指袋と手の平袋を備え、後針床側５０ａと前針床側５０ｂが重ね合わされ手挿入口５８を除く周縁が連接され、人差指袋５４又は親指袋５６の内側縁に沿った内側の一部又は全部に補強編み５９が施されている。前記補強編み５９は、編糸の編成によって人差指袋５４又は親指袋５６の後針床側５４ａ又は５６ａを形成する複数の編針の内、端部５４ｃ又は５６ｃからコース方向に少なくとも１編針飛ばした編針によって、人差指袋５４又は親指袋５６の後針床側５４ａ又は５６ａを編成する編糸を、人差指袋５４又は親指袋５６の前針床側５４ｂ又は５６ｂを編成する編針に重ねて二重編み目を形成し、当該二重編み目をウエール方向に連続して形成して構成されている。
【００２５】
補強編み手袋５０は、補強編み５９の二重編み目部分が人差指袋５４又は親指袋５６の内側縁に沿った内側に略平行に形成され、後針床側５４ａ又は５６ａに溝条５９ａを形成し、この溝条５９ａにより端部５４ｃ又は５６ｃを後針床側５４ａ又は５６ａ側に折り返すことが可能となり、この折り返し可能な端部５４ｃ又は５６ｃが人差指袋５４又は親指袋５６の補強を行うことができる。このように、補強編み手袋５０は、折り返し可能な端部５４ｃ又は５６ｃによって人差指袋５４又は親指袋５６の補強が行われ、補強力が向上し、しかも補強部分が溝条５９ａにより明確でわかりやすい。また、補強編み手袋５０は、端部５４ｃ又は５６ｃと補強編み部５９，５９間がパイプ状になっており、このパイプ状の空間６０に合成樹脂等の芯材を挿入して、さらに補強力を向上することができる。
【００２６】
袋編機１は、図１，２に示すように、対向して配置された一対の針床３，５を有する。図１１に示すように、針床３，５には、編針１１が摺動可能に設けられている。編針１１は、上部にバット１３が形成されたニードルジャック１２に接続されている。ニードルジャック１２は、下部に摺動突部１６が形成されたコントロールジャック１５に連結されている。また、袋編機１は、コントロールジャック１５の摺動突部１６に接触し、ニードルジャック１５のバット１３を押し上げる選針ピン２３を備えた選針ドラム２１，２２が設けられている。さらに、袋編機１は、一対の針床３，５上を往復動し、選針ドラム２１，２２の選針ピン２３によって押し上げられたニードルジャック１２のバット１３を案内して編針１１を上下動させる編成カム３３，３４を備えたキャリッジ３１，３２が設けられている。図３に示すように、前キャリッジ３１の編成カム３３の一部は、鉄砲山カム３５が構成されている。鉄砲山カム３５は、前記バット１３を案内する作用位置Ｐ１と前記バット１３を案内しない不作用位置Ｐ２に、鉄砲山駆動カム３８によって移動させられる。袋編機１は、一対のキャリッジ３１，３２の左方向の動作により、前キャリッジ３１の編成カム３３が選針ピン２３によって押し上げられたニードルジャック１２のバット１３を案内して編針１１を往復動させて編み袋４２の一方の面４４を編成し、一対のキャリッジ３１，３２の右方向の動作により、後キャリッジ３２の編成カム３４が選針ピン２３によって押し上げられたニードルジャック１２のバット１３を案内して編針１１を往復動させて編み袋４２の他方の面４３を編成して編み袋４２を形成する（図２２参照）。
【００２７】
袋編機１は、前針床３側の複数の編針１１の内の少なくとも一つを、図１３に示すように、通常ニードルジャック１２よりバット１３を高く形成した特殊ニードルジャック１４に接続し、前記鉄砲山カム３５の不作用位置Ｐ２においても特殊ニードルジャック１４のバット１４Ａが案内されるように構成している。袋編機１は、鉄砲山駆動カム３８により鉄砲山カム３５を不作用位置Ｐ２に移動させた前キャリッジ３１により、編み袋４２の一方の面４４を形成する一方の複数の編針１１の内、前記特殊ニードルジャック１４に接続された編針１１を上下動させ、編み袋４２の他方の面４３を編成する編糸を一方の面４４を編成する編針に重ねて二重編み目４５を形成し、当該二重編み目４５をウエール方向に連続して形成して補強編み４５を行うことができる。
【００２８】
また、袋編機１は、前針床３側の複数の編針１１の内の少なくとも一つを、通常ニードルジャック１２よりバット１３を高く形成した特殊ニードルジャック１４に接続している。さらに、袋編機１は、前記鉄砲山カム３５を通常ニードルジャック１２のバット１３と特殊ニードルジャック１４のバット１４Ａを案内する作用位置Ｐ１と、通常ニードルジャック１２のバット１３を案内せずに特殊ニードルジャック１４のバット１４Ａを案内する中間作用位置Ｐ３と、通常ニードルジャック１２のバット１３と特殊ニードルジャック１４のバット１４Ａを案内しない不作用位置Ｐ２とに移動させる鉄砲山駆動カム３８を形成している。袋編機１は、鉄砲山駆動カム３８により鉄砲山カム３５を中間作用位置Ｐ３に移動させた前キャリッジ３１により、編み袋４２の前針床側４４を形成する複数の編針１１の内、前記特殊ニードルジャック１４に接続された編針１１を上下動させ、編み袋４２の後針床側４３を編成する編糸を前針床側４４を編成する編針に重ねて二重編み目４５を形成し、当該二重編み目４５をウエール方向に連続して形成して補強編み４５を行うことができる。
【００２９】
袋編機１は、図９，１０に示すように、選針ピン２３によって押し上げられた前針床側の複数のニードルジャック１２の内、端から少なくとも２番目（Ｆ３６の位置）のニードルジャックを特殊ニードルジャック１４としている。さらに、袋編機１は、鉄砲山駆動カム３８により鉄砲山カム３５を中間作用位置Ｐ３に移動させた前キャリッジ３１により、編み袋４２の前針床側４４を形成する複数の編針の内、前記特殊ニードルジャック１４に接続された編針１１を上下動させ、編み袋４２の後針床側４３を編成する編糸を前針床側４４を編成する編針に重ねてコース方向の少なくとも２編み目（Ｆ３６の位置）に二重編み目４５を形成し、当該二重編み目４５をウエール方向に連続して形成して、編み袋４２の周縁に補強編み４５を行うことができる。
【００３０】
袋編機１は、選針ピン２３に、特殊ニードルジャック１４のバット１４Ａの高さとニードルジャック１２のバット１３の高さを略同じにする欠損部２４ａを設けた構成にすることができる。このように構成すると、選針ピン２３の欠損部２４ａによって、特殊ニードルジャック１４のバット１４Ａが位置がニードルジャック１２のバット１３の高さと略同じになるから、鉄砲山カム３５が中間作用位置Ｐ３にあってもキャリッジ３１の編成カム３３に案内されない。
【００３１】
袋編機１は、上記構成により、補強編み袋４２及び補強編み手袋５０を編成することができ、しかも、特殊選針ピン２４と、特殊ニードルジャック１４と、鉄砲山駆動カム３８の位置を変えることにより、袋又は手袋の所望する箇所に所望する範囲で補強編みを行うことができる。なお、袋編機１は、バット１４Ａを高くした特殊ニードルジャック１４と、第３の接触部４１を追加した鉄砲山駆動カム３８と、欠損部２４ａを設けた特殊選針ピン２４を採用するだけで、補強編み袋、補強編み手袋を編成することができ、安価である。
【００３２】
さらに補強編み手袋及び補強編み手袋を編成する袋編機１について詳細に説明する。図１に示すように、手袋を編成する袋編機１は、機体２に一対の針床３，５が、逆Ｖ字状に対向して配置されている。図１１に示すように、前針床３及び後針床５には、ガイド溝６が形成されている。各ガイド溝６には、編針１１が摺動可能に設けられている。編針１１は、先端にフック１１ａが形成され、さらにフック１１ａの先端と係合するべら１１ｂが回動可能に設けられている。
【００３３】
編針１１の後部には、嵌合凹部１１ｃが形成されている。編針１１の嵌合凹部１１ｃには、ニードルジャック１２の先端に形成された嵌合凸部１２ａが嵌合して、ニードルジャック１２が接続されている。図５（ａ）に示すように、ニードルジャック１２の上部には、バット１３が形成されている。当該バット１３は、後述するキャリッジ３１，３２の編成カム３３，３４に案内される。図５（ｂ）に示すように、通常ニードルジャック１２のバット１３の高さを通常より、０．５〜１．２ｍｍ高くしたバット１４Ａを備えた特殊ニードルジャック１４も、図１３に示すように、通常のニードルジャック１２と同様に、編針１１の後部に接続され、針床３，５のガイド溝６に摺動可能に案内される。
【００３４】
図１１，１３に示すように、ニードルジャック１２，１４は、後部がコントロールジャック１５に摺動可能に連結されている。コントロールジャック１５は、針床３，５に回動可能に取り付けられ、先部にニードルジャック１２，１４の後部を摺動可能に連結する連結部１５ａが設けられ、下部に摺動突部１６が形成されている。
【００３５】
図２に示すように、機体２には、前針床３に対応する前選針ドラム２１と後針床５に対応する後選針ドラム２２が回動可能に設けられている。図６，７に示すように、選針ドラム２１，２２の周面には、選針ピン２３が軸方向に取り付けられるようになっている。図１１に示すように、選針ピン２３がコントロールジャック１５の摺動突部１６と接触し、コントロールジャック１５を押し上げ、ニードルジャック１２のバット１３が上方に移動して、キャリッジ３１，３２の編成カム３３，３４に案内される。従って、選針ピン２３の長さ及び位置によって、編み上げる編針１１を選択することができる。なお、コントロールジャック１５は、摺動突部１６が選針ドラム２１，２２に圧接する方向に向かって、バネ等の弾性部材１７により付勢されている。選針ピン２３は、前述したとおり、コントロールジャック１５の摺動突部１６と接触し、コントロールジャック１５を押し上げ、ニードルジャック１２のバット１３が上方に移動させるものである。図１３に示すように、前記した特殊ニードルジャック１４のバット１４Ａは、通常のニードルジャック１２のバット１３より高いため、この特殊ニードルジャック１４を接続するコントロールジャック１５の摺動突部１６に通常の選針ピン２３を接触させた場合、通常のニードルジャック１２のバット１３より高い位置に突出する。図７（ｂ）に示すように、摺動突部１６が接触する選針ピン２３の部分に、バット１３を高くした分（０．５〜１．２ｍｍ）凹ませた凹部２４ａを形成した特殊選針ピン２４を利用すれば、図１４に示すように、通常のニードルジャック１２のバット１３の高さと、特殊ニードルジャック１４のバット１４Ａの高さを同じにすることができる。
【００３６】
また、図１に示すように、機体２には、前針床３に沿って往復移動する前キャリッジ３１と、後針床５に沿って往復移動する後キャリッジ３２が設けられている。前キャリッジ３１及び後キャリッジ３２は、ブリッジで一体化され同時に動作する。前キャリッジ３１の裏面には、前針床３のニードルジャック１２，１４のバット１３，１４Ａを案内する編成カム３３が形成されている。後キャリッジ３２の裏面には、後針床５のニードルジャック１２のバット１３を案内する編成カム３４が形成されている。前述したように、選針ドラム２１，２２の選針ピン２３，２４によって選択されたコントロールジャック１５に連結されたニードルジャック１２，１４のバット１３，１４Ａがキャリッジ３１，３２の編成カム３３，３４に案内され、この案内されたニードルジャック１２，１４に接続された編針１１が上下方向に往復動する。
【００３７】
図３に示すように、前記キャリッジ３１，３２の編成カム３３，３４の一部は、鉄砲山カム３５が構成している。図２に示すように、鉄砲山カム３５は、機体２に揺動可能に設けられたアーム３６にワイヤ等の連係手段により連係されている。アーム３６の先端部は、機体２に回動可能に設けられた鉄砲山駆動カム３８に摺接している。図４に示すように、鉄砲山駆動カム３８には長径の第１の接触部３９と短径の第２の接触部４０が形成されている。アーム３６の先端部が鉄砲山駆動カム３８の第２の接触部４０に接触している場合には、ワイヤ等の連係手段を介して鉄砲山カム３５が作用位置Ｐ１に突出し、編成カム３３，３４がニードルジャック１２，１４のバット１３，１４Ａを案内し、編針１１を上下方向に往復動させる。アーム３６の先端部が鉄砲山駆動カム３８の第１の接触部３９に接触している場合には、ワイヤ等の連係手段を介して鉄砲山カム３５が不作用位置Ｐ２に没入して、編成カム３３，３４がニードルジャック１２，１４のバット１３，１４Ａを案内しなくなり、編針１１を動作させない。なお、図４に示すように、鉄砲山駆動カム３８には、第１の接触部３９と第２の接触部４０の他に、中心から第１の接触部３９までの距離より短く、中心から第２の接触部４０までの距離より長い、第３の接触部（接触凹部）４１が形成されている。アーム３６の先端部が鉄砲山駆動カム３８の第３の接触部４１に接触している場合には、図１７に示すように、ワイヤ等の連係手段を介して鉄砲山カム３５が作用位置Ｐ１と不作用位置Ｐ２の間の中間作用位置Ｐ３に突出し、編成カム３３，３４が通常のニードルジャック１２より高く突出している特殊ニードルジャック１４のバット１４Ａを案内し編針１１を上下方向に往復動させる。なお、図１６に示すように、鉄砲山カム３５が中間作用位置Ｐ３に突出している場合、編成カム３３，３４は通常のニードルジャック１２のバット１３を案内せず、編針１１を上下方向に往復動させることはない。
【００３８】
補強編み袋編機１は、通常の袋編機に、前述したように、バット１４Ａを高くした特殊ニードルジャック１４と、凹部２４ａを形成した特殊選針ピン２４と、第３の接触部４１を設けた鉄砲山駆動カム３８を構成に加えることによって形成されている。
【００３９】
次に補強編み袋編機１を用いて、編み袋４２の一部に補強編みを行う方法について説明する。なお、選針ドラム２１，２２、鉄砲山駆動カム３８、キャリッジ３１，３２の駆動制御は、公知の駆動制御手段により行われる。後選針ドラム２２に編み袋４２の幅と同じ長さの通常の選針ピン２３を取り付ける。この選針ピン２３により選択される編針１１によって後針床側４３が編成される。前選針ドラム２１に編み袋４２の幅と同じ長さの通常の選針ピン２３と特殊選針ピン２４を円周方向に平行に取り付ける。前針床３のガイド溝６の内、端部４７から少なくともコース方向に一目飛ばした位置（例えばＦ３６の位置）のガイド溝６に設けられたニードルジャック１２を特殊ニードルジャック１４に交換する。この選針ピン２３により選択される編針１１によって前針床側４４が編成される（図１０参照）。
【００４０】
補強編み袋編機１は、編糸を給糸する給糸部を備えている。前キャリッジ３１と後キャリッジ３２を、駆動制御手段により往復動させると編み袋４２が編成される。図１１に示すように、駆動制御手段により、選針ドラム２１、２２を回転させ、選針ピン２３を後針床５側に位置するコントロールジャック１５の摺動突部１６に接触させ、コントロールジャック１５を介してニードルジャック１２のバット１３を押し上げる。図１３に示すように、駆動制御手段により、選針ドラム２１、２２を回転させ、選針ピン２３を前針床３側に位置するコントロールジャック１５の摺動突部１６に接触させ、コントロールジャック１５を介してニードルジャック１２のバット１３と特殊ニードルジャック１４のバット１４Ａを押し上げる。特殊ニードルジャック１４のバット１４Ａは、ニードルジャック１２のバット１３より高い位置に突出する。図１４に示すように、選針ドラム２１、２２を回転させ、特殊選針ピン２４を前針床３側に位置するコントロールジャック１５の摺動突部１６に接触させる。
【００４１】
次に編み袋に補強縫いを施し、補強部を形成する。図１１に示すように、駆動制御手段により、後選針ドラム２２を回転させ、選針ピン２３を後針床５側に位置するコントロールジャック１５の摺動突部１６に接触させ、コントロールジャック１５を介してニードルジャック１２のバット１３を押し上げる。駆動制御手段により、前選針ドラム２１を回転させ、通常の選針ピン２３を前針床３側に位置するコントロールジャック１５の摺動突部１６に接触させ、コントロールジャック１５を介してニードルジャック１２，１４のバット１３，１４Ａを押し上げる。図１３に示すように、特殊ニードルジャック１４のバット１４Ａは、これを接続するコントロールジャック１５の摺動突部１６が通常の選針ピン２３により押し上げられ、高く形成されている分、通常のニードルジャック１２のバット１３よりも高くなっている。
【００４２】
図１６，１７に示すように、前針床３側の鉄砲山駆動カム３８を回転させ、アーム３６の先端部を鉄砲山駆動カム３８の第３の接触部４１に接触させ、前キャリッジ３１の編成カム３３の一部を構成する鉄砲山カム３５を中間作用位置Ｐ３に突出させる。駆動制御手段により、前及び後キャリッジ３１，３２を一方（右方）に動作（スライド）させる。後キャリッジ３２は、編成カム３４が後針床５のニードルジャック１２のバット１３を案内し、後針床５の編針１１を上下動させる。前キャリッジ３１は、鉄砲山カム３５が中間作用位置Ｐ３に突出しているので、図１６に示すように、編成カム３３が前針床３の通常のニードルジャック１２のバット１３を案内しないが、図１７に示すように、特殊ニードルジャック１４，１４のバット１４Ａ，１４Ａが案内され、前針床３の特殊ニードルジャック１４，１４に連結された編針１１，１１が上下動する。従って、前及び後キャリッジ３１，３２が一方（右方）に動作すると、編み袋４２の後面４４が編成され、後面４４を編成する右端から１番目の編み目と２番目の編み目の間の編糸と左端から１番目の編み目と２番目の編み目の間の編糸を、編み袋４２の前面４３を編成する右端及び左端から２番目（図１０のＦ３６の位置）の編針１１が引き寄せて、前面４３側で編み目を形成する。なお、前面４３は編成されない。
一方、駆動手段により、前及び後キャリッジ３１，３２を他方（左方）に動作（スライド）させる。  前キャリッジ３１は、編成カム３３が前針床３のニードルジャック１２，１４のバット１３，１４Ａを案内し、前針床３の編針１１を上下動させる。後キャリッジ３２は、機構上、編成カム３４が後針床５のニードルジャック１２，１４のバット１３を案内せず、後針床５の編針１１を上下動させない。従って、前及び後キャリッジ３１，３２が他方（左方）に動作すると、編み袋４２の前面４３が編成され、後面４４が編成されない。このように、前キャリッジ３１と後キャリッジ３２を往復動させると、編み袋４２の前面４３と後面４４が編成されて、編み袋４２が形成される。編み袋４２の後面４４の右端からコース方向に１針分飛ばした部分が前面４３の右端から２番目の編み目に重ね編みされ、編み袋４２の後面４４の左端からコース方向に１針分飛ばした部分が前面４３の左端から２番目の編み目に重ね編みされ、その重ね編みされた部位がウォール方向に連続して編み袋４２の両側に補強編みを構成し、編み袋４２の所定部位を補強することになる。
【００４３】
次に補強編み袋編機１を用いて、図２４（ａ）に示すように、作業用手袋の一部に補強編みを行う方法について説明する。選針ドラム２１，２２、鉄砲山駆動カム３８、キャリッジ３１，３２の駆動制御は、公知の駆動制御手段により行われる。作業用手袋５０は、袋編機１により、小指５１の指袋から編み始め、薬指５２、中指５３、人差指５４の順に各指袋が編まれた後、小指５１から人差指５４までを一つの筒状体として四本胴５５を編成する。そして、四本胴５５の編成の後、親指５６の編成が行われ、親指５６と先に編まれた四本胴５５を一つにして五本胴５７が編成され、手首部の編成が行われて終了する。
【００４４】
後選針ドラム２２には、図８に示すように、小指袋５１の幅と同じ長さの通常の選針ピン６１と、薬指袋５２の幅と同じ長さの通常の選針ピン６２と、中指袋５３の幅と同じ長さの通常の選針ピン６３と、人差指袋５４の幅と同じ長さの通常の選針ピン６４と、４本胴５５の幅と同じ長さの通常の選針ピン６５と、親指袋５６の幅と同じ長さの通常の選針ピン６６と、５本胴５７の幅と同じ長さの通常の選針ピン６７が装着されている。前選針ドラム２１には、小指袋５１の幅と同じ長さの通常の選針ピン６１と、薬指袋５２の幅と同じ長さの通常の選針ピン６２と、中指袋５３の幅と同じ長さの通常の選針ピン６３と、人差指袋５４の幅と同じ長さの通常の選針ピン６４と、４本胴５５の幅と同じ長さの通常の選針ピン６５と、親指袋５６の幅と同じ長さの通常の選針ピン６６が装着されている。
【００４５】
作業用手袋５０の補強編みは、図９に示すように、人差指袋５４及び４本胴５５の内端から編針１本分内側の編針（Ｆ３６の位置）によって行い、図１０に示すように、親指袋５６の内端から編針１本分内側の編針（Ｆ３６の位置）によって行うように、前針床３のその位置に特殊ニードルジャック１４が配置される。従って、前選針ドラム２１には、通常の選針ピン６４と平行に人差指袋５４の幅と同じ長さの特殊選針ピン６４ａが装着され、通常の選針ピン６６と平行に親指袋５６の幅と同じ長さの特殊選針ピン６６ａが装着され、５本胴５７の幅と同じ長さの特殊選針ピン６７ａが装着されている。特殊選針ピン６４ａ、特殊選針ピン６６ａ及び特殊選針ピン６７ａは、特殊ニードルジャック１４が配置された位置（端部から２針目の位置）に凹部６４ｂ，６６ｂ，６７ｂが位置するように配置されている。後選針ドラム２２により選択される編針１１によって作業用手袋５０の手の甲（後面）が編成される。前選針ドラム２１により選択される編針１１によって右手作業用手袋５０の手の平（前面）が編成される。
【００４６】
補強編み袋編機１は、編糸を給糸する給糸部を備えている。前キャリッジ３１と後キャリッジ３２を、駆動制御手段により往復動させると右手作業用手袋５０が編成される。小指袋５１，薬指袋５２，中指袋５３は通常の手袋編みと同様なので説明を省略し、人差指袋５４の編成から説明する。図１１に示すように、後選針ドラム２２を回転させ、選針ピン６４を後針床５側に位置するコントロールジャック１５の摺動突部１６に接触させ、コントロールジャック１５を介してニードルジャック１２のバット１３を作用位置まで押し上げる。同様に、前選針ドラム２１を回転させ、特殊選針ピン６４ａを前針床３側に位置するコントロールジャック１５の摺動突部１６に接触させる。通常のニードルジャック１２のバット１３は、コントロールジャック１５を介して作用位置まで押し上げられる。図１４に示すように、特殊ニードルジャック１４のバット１４Ａは、これを接続するコントロールジャック１５の摺動突部１６が特殊選針ピン６４ａの凹部６４ｂに接触し、ニードルジャック１２のバット１３より高い分が凹部６４ｂによりマイナスされ、押し上げられた通常のニードルジャック１２のバット１３と略同じ高さの作用位置まで押し上げられる。
【００４７】
図１１に示すように、後針床５側の鉄砲山駆動カム３８を回転させ、アーム３６の先端部を鉄砲山駆動カム３８の第１の接触部３９に接触させ、後キャリッジ３２の編成カム３４の一部を構成する鉄砲山カム３５を作用位置Ｐ１に突出させる。図１６，１７に示すように、前針床３側の鉄砲山駆動カム３８を回転させ、アーム３６の先端部を鉄砲山駆動カム３８の第３の接触部４１に接触させ、前キャリッジ３１の編成カム３３の一部を構成する鉄砲山カム３５を中間作用位置Ｐ３に突出させる。駆動制御手段により、前及び後キャリッジ３１，３２を他方（右方）に動作（スライド）させる。後キャリッジ３２は、鉄砲山カム３５が突出しているので、編成カム３４が後針床５のニードルジャック１２のバット１３を案内し、後針床５の編針１１を上下動させる。前キャリッジ３１は、鉄砲山カム３５が中間作用位置Ｐ３に突出しているので、図１６に示すように、編成カム３３が前針床３の通常のニードルジャック１２のバット１３を案内しないが、図１７に示すように、特殊ニードルジャック１４のバット１４Ａを案内し、前針床３の特殊ニードルジャック１４に連結された編針１１のみが上下動する。従って、前及び後キャリッジ３１，３２が他方（右方）に動作すると、人差指袋５４の後面５４ｂが編成され、後面５４ｂを編成する左端５４ｃから２番編み目と３番編み目の間の編糸を、人差指袋５４の前面５４ａを編成する左端５４ｃから２番目（図９のＦ３６の位置）の編針１１が引き寄せて、前面５４ａ側で編み目５９を形成する。なお、前面５４ａは編成されない。このように、前キャリッジ３１と後キャリッジ３２を往復動させると、人差指袋５４の後面５４ｂと前面５４ａが編成されて、人差指袋５４が形成される。人差指袋５４は、途中から、後面５４ｂの左端５４ｃからコース方向に２針分飛ばした部分（左端５４ｃから２番編み目と３番編み目の間の部分）が前面５４ａの左端５４ｃから２番目の編み目に重ね編みされ、その重ね編みされた部位がウォール方向に連続して補強編み５９を構成し、人差指袋５４の所定部位を補強することになる。
【００４８】
４本胴５５の編成について説明する。図１１に示すように、選針ドラム２１、２２を回転させ、選針ピン６５を後針床５側に位置するコントロールジャック１５の摺動突部１６に接触させ、コントロールジャック１５を介してニードルジャック１２のバット１３を作用位置まで押し上げる。図１１，１３に示すように、通常の選針ピン６５を前針床３側に位置するコントロールジャック１５の摺動突部１６に接触させ、コントロールジャック１５を介してニードルジャック１２，１４のバット１３，１４Ａを押し上げる。図１３に示すように、特殊ニードルジャック１４のバット１４Ａは、これを接続するコントロールジャック１５の摺動突部１６が通常の選針ピン２３により押し上げられ、高く形成されている分、通常のニードルジャック１２のバット１３よりも高くなっている。
【００４９】
駆動制御手段により、前及び後キャリッジ３１，３２を一方（左方）に動作（スライド）させる。前キャリッジ３１は、編成カム３３が前針床３のニードルジャック１２、１４のバット１３、１４Ａを案内し、前針床３の編針１１を上下動させる。  後キャリッジ３２は、機構上、編成カム３４が後針床５のニードルジャック１２のバット１３を案内せず、後針床５の編針１１を上下動させない。
図１６，１７に示すように、前針床３側の鉄砲山駆動カム３８を回転させ、アーム３６の先端部を鉄砲山駆動カム３８の第３の接触部４１に接触させ、前キャリッジ３１の編成カム３３の一部を構成する鉄砲山カム３５を中間作用位置Ｐ３に突出させる。駆動制御手段により、前及び後キャリッジ３１，３２を他方（右方）に動作（スライド）させる。後キャリッジ３２は、編成カム３４が後針床５のニードルジャック１２のバット１３を案内し、後針床５の編針１１を上下動させる。前キャリッジ３１は、鉄砲山カム３５が中間作用位置Ｐ３に突出しているので、図１７に示すように、特殊ニードルジャック１４のバット１４Ａを案内し、前針床３の特殊ニードルジャック１４に連結された編針１１のみが上下動する。従って、前及び後キャリッジ３１，３２が他方（右方）に動作すると、４本胴５５の後面が編成され、後面を編成する左端から２番編み目と３番編み目の間の編糸を、４本胴５５の前面を編成する左端から２番目（図９のＦ３６の位置）の編針１１が引き寄せて、前面側で編み目を形成する。なお、前面は編成されない。このように、前キャリッジ３１と後キャリッジ３２を往復動させると、４本胴５５の前面と後面が編成されて、４本胴５５が形成される。４本胴５５は、後面の左端からコース方向に２針分飛ばした部分（左端から２番編み目と３番編み目の間の部分）が前面の左端から２番目の編み目に重ね編みされ、その重ね編みされた部位がウォール方向に連続して補強編み５９を構成し、４本胴５５の所定部位を補強することになる。なお、４本胴の補強縫い部位は、人差指袋５４の補強縫い部位と連続する。
【００５０】
親指袋５６の編成について説明する。図１１に示すように、選針ドラム２１、２２を回転させ、選針ピン６６を後針床５側に位置するコントロールジャック１５の摺動突部１６に接触させ、コントロールジャック１５を介してニードルジャック１２のバット１３を押し上げる。同様に、選針ピン６６ａを前針床３側に位置するコントロールジャック１５の摺動突部１６に接触させる。通常のニードルジャック１２のバット１３は、コントロールジャック１５を介して作用位置まで押し上げられる。図１４に示すように、特殊ニードルジャック１４のバット１４Ａは、これを接続するコントロールジャック１５の摺動突部１６が特殊選針ピン６６ａの凹部６６ｂに接触し、ニードルジャック１２のバット１３より高い分が凹部６６ｂによりマイナスされ、押し上げられた通常のニードルジャック１２のバット１３と略同じ高さの作用位置まで押し上げられる。
【００５１】
前及び後キャリッジ３１，３２を上記したように左右方向に往復動させて、親指袋５６を途中まで編成し、途中から補強部を編成する。図１１，１３に示すように、駆動制御手段により、前後選針ドラム２１、２２を回転させ、通常の選針ピン６６を前針床３側に位置するコントロールジャック１５の摺動突部１６に接触させ、コントロールジャック１５を介してニードルジャック１２，１４のバット１３，１４Ａを押し上げる。図１３に示すように、特殊ニードルジャック１４のバット１４Ａは、これを接続するコントロールジャック１５の摺動突部１６が通常の選針ピン２３により押し上げられ、高く形成されている分、通常のニードルジャック１２のバット１３よりも高くなっている。
【００５２】
図１６，１７に示すように、前針床３側の鉄砲山駆動カム３８を回転させ、アーム３６の先端部を鉄砲山駆動カム３８の第３の接触部４１に接触させ、前キャリッジ３１の編成カム３３の一部を構成する鉄砲山カム３５を中間作用位置Ｐ３に突出させる。駆動制御手段により、前及び後キャリッジ３１，３２を一方（右方）に動作（スライド）させる。後キャリッジ３２は、鉄砲山カム３５が突出しているので、編成カム３４が後針床５のニードルジャック１２のバット１３を案内し、後針床５の編針１１を上下動させる。前キャリッジ３１は、鉄砲山カム３５が中間作用位置Ｐ３に突出しているので、図１６に示すように、編成カム３３が前針床３の通常のニードルジャック１２のバット１３を案内しないが、図１７に示すように、特殊ニードルジャック１４のバット１４Ａを案内し、前針床３の特殊ニードルジャック１４に連結された編針１１のみが上下動する。従って、前及び後キャリッジ３１，３２が一方（右方）に動作すると、親指袋５６の後面５６ｂが編成され、後面５６ｂを編成する右端５６ｃから１番編み目と２番編み目の間の編糸を、親指袋５６の前面５６ａを編成する右端５６ｃから２番目（図１０のＦ３６の位置）の編針１１が引き寄せて、前面５６ａ側で編み目５９を形成する。なお、前面５６ａは編成されない。
【００５３】
駆動制御手段により、前及び後キャリッジ３１，３２を他方（左方）に動作（スライド）させる。前キャリッジ３１は、編成カム３３が前針床３のニードルジャック１２，１４のバット１３，１４Ａを案内し、前針床３の編針１１を上下動させる。後キャリッジ３２は、機構上、編成カム３４が後針床５のニードルジャック１２のバット１３を案内せず、後針床５の編針１１を上下動させない。従って、前及び後キャリッジ３１，３２が他方（左方）に動作すると、親指袋５６の前面５６ａが編成され、後面５６ｂが編成されない。このように、前キャリッジ３１と後キャリッジ３２を往復動させると、親指袋５６の後面５６ｂと前面５６ａが編成されて、親指袋５６が形成される。親指袋５６は、途中から、後面５６ｂの右端５６ｃからコース方向に１針分飛ばした部分（右端５６ｃから１番編み目と２番編み目の間の部分）が前面５６ａの右端５６ｃから２番目の編み目に重ね編みされ、その重ね編みされた部位がウォール方向に連続して補強編み５９を構成し、親指袋５６の所定部位を補強することになる。
【００５４】
５本胴５７の編成について説明する。図１１に示すように、前後選針ドラム２１、２２を回転させ、選針ピン６７を後針床５側に位置するコントロールジャック１５の摺動突部１６に接触させ、コントロールジャック１５を介してニードルジャック１２のバット１３を押し上げる。同様に、特殊選針ピン６７ａを前針床３側に位置するコントロールジャック１５の摺動突部１６に接触させる。通常のニードルジャック１２のバット１３は、コントロールジャック１５を介して作用位置まで押し上げられる。図１４に示すように、特殊ニードルジャック１４のバット１４Ａは、これを接続するコントロールジャック１５の摺動突部１６が特殊選針ピン６７ａの凹部６７ｂに接触し、ニードルジャック１２のバット１３より高い分が凹部６７ｂによりマイナスされ、押し上げられた通常のニードルジャック１２のバット１３と略同じ高さの作用位置まで押し上げられる。
【００５５】
従って、前及び後キャリッジ３１，３２が他方（右方）に動作すると、５本胴５７の後面が編成され、前面は編成されない。このように、前及び後キャリッジ３１，３２を上記したように左右方向に往復動させて、５本胴５７を編成し、作業用手袋５０を製造する。
【００５６】
人差指袋５４及び４本胴５５は、図９に示すように、５０ａ側を編成する編針１１の内、端部から１針飛ばした２番目（Ｆ３６の位置）の編針１１が、５０ｂの端部から２番目の編み目Ｂ３７と３番目の編み目Ｂ３６の間の編糸を引き寄せて、手の平５０ａ側の編み目（Ｆ３６の位置）に重ね編みを行うことにより、補強編み５９を形成している。親指袋５６は、図１０に示すように、５０ａ側を編成する編針１１の内、端部から１針飛ばした２番目（Ｆ３６の位置）の編針１１が、手の甲５０ｂの端部から１番目の編み目Ｂ３６と２番目の編み目Ｂ３７の間の編糸を引き寄せて、５０ａ側の編み目（Ｆ３６の位置）に重ね編みを行うことにより、補強編み５９を形成している。袋編機１は、編針１１によって編まれた編み目が、編み針１１の間に設けられたシンカーによって下方に送られるようになっている。図９に示すように、補強編みは、５０ｂの端部から２番目の編み目Ｂ３７と３番目の編み目３６の間の編糸を、５０ａ側の編み目（Ｆ３６の位置）に引き寄せて行うので、２番目の編み目Ｂ３７と３番目の編み目３６の間の編糸がシンカーＳ３７によって送られなくなる。しかし、１番目の編み目Ｂ３８と２番目の編み目３７の間の編糸がシンカーＳ３８によって下方に送られるので、シンカー３７が機能しなくても下方にスムーズに送られる。
【００５７】
袋編機１は、上記しようにして、所望する箇所に補強編みを施して、作業用手袋を編成することができる。図２４（ｂ）に示す、作業用手袋５０は、４本胴５５の左端全体と親指袋５６の右端の一部に補強編みを設けた構成である。図２４（ｃ）に示す、作業用手袋５０は、４本胴５５の左端の一部と親指袋５６の右端の一部に補強縫いを設けた構成である。図２４（ｄ）に示す、作業用手袋５０は、各指袋の内端の一部に補強編みを設けた構成である。このように、袋編機１は、所望する箇所に補強編みを行うことができる。
【産業上の利用可能性】
【００５８】
本願発明は、工場、農場等の作業現場などの環境の下で使用される作業用手袋、これらの手袋編機に利用可能である。
【符号の説明】
【００５９】
Ｐ１  作用位置
Ｐ２  不作用位置
Ｐ３  中間作用位置
１  袋編機
２  機体
３  前針床
５  後針床
６  ガイド溝
１１  編針
１１ａ  フック
１１ｂ  べら
１１ｃ  嵌合凹部
１２  ニードルジャック
１２ａ  嵌合凸部
１３  バット
１４  特殊ニードルジャック
１４Ａ  バット
１５  コントロールジャック
１５ａ  連結部
１６  摺動突部
１７  弾性部材（バネ部材）
２１  前選針ドラム
２２  後選針ドラム
２３  選針ピン
２４  特殊選針ピン
２４ａ  凹部（欠損部）
３１  前キャリッジ
３２  後キャリッジ
３３  編成カム
３４  編成カム
３５  鉄砲山カム
３６  アーム
３８  鉄砲山駆動カム
３９  第１の接触部
４０  第２の接触部
４１  第３の接触部（接触凹部）
４２  補強編み袋
４３  後針床側（一方の面）
４４  前針床側（他方の面）
４５  補強編み
４５ａ  溝条
４６  一部
４７  端部
４８  空間
４９  芯材
５０  右手作業用手袋
５０ａ  後針床側（一方の面  手の平側の面）
５０ｂ  前針床側（他方の面  手の甲側の面）
５１  小指袋
５２  薬指袋
５３  中指袋
５４  人差指袋
５４ａ  後針床側（一方の面  前面）
５４ｂ  前針床側（他方の面  後面）
５４ｃ  端部
５５  四本胴
５６  親指袋
５６ａ  後針床側（一方の面  前面）
５６ｂ  前針床側（他方の面  手の甲側の面）
５６ｃ  端部
５７  五本胴
５８  手挿入口
５９  補強編み
５９ａ  溝条
６０  空間
６１  選針ピン
６２  選針ピン
６３  選針ピン
６４  選針ピン
６４ａ  特殊選針ピン
６４ｂ  凹部（欠損部）
６５  選針ピン
６６  選針ピン
６６ａ  特殊選針ピン
６６ｂ  凹部（欠損部）
６７  選針ピン
６７ａ  特殊選針ピン
６７ｂ  凹部（欠損部）
【図１】
2015071837.tif 000003
【図２】
2015071837.tif 000004
【図３】
2015071837.tif 000005
【図４】
2015071837.tif 000006
【図５】
2015071837.tif 000007
【図６】
2015071837.tif 000008
【図７】
2015071837.tif 000009
【図８】
2015071837.tif 000010
【図９】
2015071837.tif 000011
【図１０】
2015071837.tif 000012
【図１１】
2015071837.tif 000013
【図１２】
2015071837.tif 000014
【図１３】
2015071837.tif 000015
【図１４】
2015071837.tif 000016
【図１５】
2015071837.tif 000017
【図１６】
2015071837.tif 000018
【図１７】
2015071837.tif 000019
【図１８】
2015071837.tif 000020
【図１９】
2015071837.tif 000021
【図２０】
2015071837.tif 000022
【図２１】
2015071837.tif 000023
【図２２】
2015071837.tif 000024
【図２３】
2015071837.tif 000025
【図２４】
2015071837.tif 000026